(57)【要約】【課題】  バヨネットマウント方式による強固なかみ合いでカメラが取り外せなくなることを防止し、また、電気コネクタの接続を短時間に容易に行うことができるカメラの取付機構及びその取付方法を提供する。【解決手段】  カメラ１とレンズ３との結合はバヨネットマウント方式を採用し、カメラ１とレンズ３を結合後にカメラ１をスタジオアダプタ２に固定するために、スタジオアダプタ２に取り付けられ、カメラ１の垂直位置を調整する上下移動機構と、上下移動機構に前方で接続し、カメラ１を搭載してカメラ１をバヨネットレンズ１８に導き、後方でカメラ１をレンズ１側に押し込んで固定するロック機構を有するカメラ搭載機構とを備えるカメラの取付機構及びその取付方法である。【選択図】        図２
2019057865.tif 000002
【特許請求の範囲】
【請求項１】
ポータブルカメラと大型箱レンズとがバヨネットマウント方式で結合され、前記ポータブルカメラをスタジオアダプタに固定するカメラ取付機構であって、
前記スタジオアダプタに固定され、前記ポータブルカメラの垂直位置を調整する上下移動機構と、
前記上下移動機構に接続し、前記ポータブルカメラを搭載して前記大型箱レンズに導くよう水平方向に移動させ、前記ポータブルカメラを固定するカメラ搭載機構とを有することを特徴とするカメラ取付機構。
【請求項２】
上下移動機構は、左右方向に移動する左右移動ブロックと、前記左右移動ブロックの移動を調整する調整ロッドと、上下方向に移動する上下移動ブロックと、前記左右移動ブロックにおける左右方向の移動を前記上下移動ブロックの上下方向の移動に変換する変換部と、前記上下移動ブロックを固定する固定部とを備えることを特徴とする請求項１記載のカメラ取付機構。
【請求項３】
カメラ搭載機構は、ポータブルカメラを大型箱レンズに導くガイドと、上下移動機構に接続する側とは反対側の端部に、ポータブルカメラを押し込んでロックするロック機構を備えることを特徴とする請求項１又は２記載のカメラ取付機構。
【請求項４】
ポータブルカメラと大型箱レンズとがバヨネットマウント方式で結合され、前記ポータブルカメラをスタジオアダプタに固定するカメラ取付機構の取付方法であって、
前記スタジオアダプタに固定された上下移動機構で、前記ポータブルカメラの垂直位置が調整され、
前記上下移動機構に接続するカメラ搭載機構で、搭載した前記ポータブルカメラを前記大型箱レンズに導くよう水平方向に移動させ、前記ポータブルカメラと前記大型箱レンズの結合後に前記ポータブルカメラを固定することを特徴とするカメラ取付機構の取付方法。
【請求項５】
上下移動機構では、大型箱レンズの近辺でポータブルカメラとのスキマを約１ｍｍ程度設けるよう調整することを特徴とする請求項４記載のカメラ取付機構の取付方法。
【発明の詳細な説明】
【技術分野】
【０００１】
本発明は、放送・業務用ポータブルカメラをスタジオアダプタに取り付ける取付機構に係り、特に、短時間で取り付けが可能で取り外しも容易なカメラの取付機構及びその取付方法に関する。
【背景技術】
【０００２】
［従来の技術］
従来、放送・業務用のポータブルカメラ（以下、単に「カメラ」とする）をスタジオで使用する際に、カメラをカメラ取付ユニットに搭載して大型箱レンズに結合し、スタジオアダプタに固定するようになっている。
つまり、カメラをカメラ取付ユニットに装着することで、カメラとスタジオアダプタとが機械的、電気的に接続するものである。
【０００３】
［従来の大型箱レンズとカメラ取付ユニットとの接続：図１６］
従来の大型箱レンズとカメラ取付ユニットの接続状態について図１６を参照しながら説明する。図１６は、従来の大型箱レンズとカメラ取付ユニットの接続を示す概略図である。
図１６に示すように、スタジオアダプタ４０に対して大型箱レンズ３が設けられ、カメラ取付ユニット４１が取り付けられている。
【０００４】
カメラ取付ユニット４１には、後述するカメラ１を固定するカメラ固定バー４２が設けられ、カメラ１及びカメラ取付ユニット４１を垂直・水平方向に移動させることが可能となる移動可能ボタン４３を備え、カメラ取付ユニット４１の位置を固定するユニット固定バー４４が設けられている。
また、スタジオアダプタ４０には、カメラ取付ユニット４１をスタジオアダプタ４０に固定する固定レバー４５を備えている。
【０００５】
そして、スタジオアダプタ４０に設けられたカメラ取付ユニット４１にカメラを搭載し、大型箱レンズ３の方向（Ｘ軸方向）にスライドさせ、大型箱レンズ３とバヨネットマウント方式によってカメラを結合させ、その後に、カメラ取付ユニット４１を上下、左右のロックバーにてスタジオアダプタ４０に固定する。
【０００６】
［従来のカメラの取付方法：図１７］
従来のカメラの取付方法について図１７を参照しながら説明する。図１７は、従来のカメラの取付方法を示す概略図である。図中の（１）〜（６）は、取付の手順を示している。
図１７に示すように、カメラ１をカメラ取付ユニット４１に搭載し（１）、カメラ固定バー４２を回転させて（２）カメラ１をカメラ取付ユニット４１に固定する。
【０００７】
次に、カメラ１を搭載したカメラ取付ユニット４１を水平・垂直方向へ移動可能にする移動可能ボタン４３を押しながら（３）、カメラ１の垂直方向及び水平方向の位置を調整し、カメラ１を大型箱レンズ３のレンズ口にスライドさせて接近させる（４）。移動可能ボタン４３から指を離せば、カメラ取付ユニット４１のスライドの動きは停止する。
【０００８】
そして、カメラ１と大型箱レンズ３をバヨネットマウント方式によって結合する（５）。
その後、カメラ取付ユニット４１の位置を、ユニット固定バー４４を回転させて固定する（６）。更に、固定レバー４５を回転させて、カメラ取付ユニット４１をスタジオアダプタ４０に固定する。
【０００９】
［関連技術］
尚、関連する先行技術として、特開２０１０−０５０５４３号公報「スタジオアダプタ用ビデオカメラ支持ユニット」（特許文献１）、特開２０１０−１３０４８９号公報「スタジオアダプタ用ビデオカメラ支持ユニット」（特許文献２）がある。
【００１０】
特許文献１には、ハンディ型ビデオカメラをスタジオアダプタに簡単に組み込むために、コネクタを備えた第１の可動部材を、第２の可動部材のレバー部材を操作して偏心カムを回転させ、移動変位させてカメラに押圧力を与える支持ユニットが示されている。
【００１１】
特許文献２には、ハンディ型ビデオカメラをスタジオアダプタに簡単に組み込むために、カメラロック部を備える第１の可動部材とコネクタを備えた第２の可動部材に対して、第１の可動部材に移動変位を与える第１の偏心カムと第２の可動部材に移動変位を与える第２の偏心カムをレバー部材で回転させ、カメラに押圧力を与える支持ユニットが示されている。
【先行技術文献】
【特許文献】
【００１２】
【特許文献１】特開２０１０−０５０５４３号公報
【特許文献２】特開２０１０−１３０４８９号公報
【発明の概要】
【発明が解決しようとする課題】
【００１３】
しかしながら、上記従来のカメラの取付機構では、カメラ取付ユニットにカメラを固定した後に大型箱レンズにカメラをバヨネットマウント方式で結合させ、続いてカメラ取付ユニットをスタジオアダプタに固定レバーにより固定するようになっているため、スタジオアダプタを運用（使用）後に、カメラとレンズがバヨネットマウントにて強固にかみ合い、カメラがスタジオアダプタから外せなくなることが発生するという問題点があった。
【００１４】
これは、カメラ取付ユニットとスタジオアダプタとの固定が浅い場合に、外部からカメラに力が加わって、カメラ取付ユニットがスタジオアダプタに対してズレが生じてしまうときなどに起こるものである。
【００１５】
カメラ取付ユニットにはバネを利用してカメラの重量の軽減を行っているが、カメラ取付ユニットを介してカメラをレンズマウントに位置合わせを行うため、取り付けるカメラの重量が増えてしまい、カメラとレンズとを正常に結合するには操作上の慣れが必要となっていた。
【００１６】
尚、特許文献１，２には、バヨネットマウント結合の大型箱レンズとカメラについて、その結合部分に重量が加わらないようにして、容易にカメラを取り外すことができる構成についての記載がない。
【００１７】
本発明は上記実情に鑑みて為されたもので、バヨネットマウント方式による強固なかみ合いでカメラが取り外せなくなることを防止し、また、電気コネクタの接続を短時間に容易に行うことができるカメラの取付機構及びその取付方法を提供することを目的とする。
【課題を解決するための手段】
【００１８】
上記従来例の問題点を解決するための本発明は、ポータブルカメラと大型箱レンズとがバヨネットマウント方式で結合され、ポータブルカメラをスタジオアダプタに固定するカメラ取付機構であって、スタジオアダプタに固定され、ポータブルカメラの垂直位置を調整する上下移動機構と、上下移動機構に接続し、ポータブルカメラを搭載して大型箱レンズに導くよう水平方向に移動させ、ポータブルカメラを固定するカメラ搭載機構とを有することを特徴とする。
【００１９】
本発明は、上記カメラ取付機構において、上下移動機構が、左右方向に移動する左右移動ブロックと、左右移動ブロックの移動を調整する調整ロッドと、上下方向に移動する上下移動ブロックと、左右移動ブロックにおける左右方向の移動を上下移動ブロックの上下方向の移動に変換する変換部と、上下移動ブロックを固定する固定部とを備えることを特徴とする。
【００２０】
本発明は、上記カメラ取付機構において、カメラ搭載機構が、ポータブルカメラを大型箱レンズに導くガイドと、上下移動機構に接続する側とは反対側の端部に、ポータブルカメラを押し込んでロックするロック機構を備えることを特徴とする。
【００２１】
本発明は、ポータブルカメラと大型箱レンズとがバヨネットマウント方式で結合され、ポータブルカメラをスタジオアダプタに固定するカメラ取付機構の取付方法であって、スタジオアダプタに固定された上下移動機構で、ポータブルカメラの垂直位置が調整され、上下移動機構に接続するカメラ搭載機構で、搭載したポータブルカメラを大型箱レンズに導くよう水平方向に移動させ、ポータブルカメラと大型箱レンズの結合後にポータブルカメラを固定することを特徴とする。
【００２２】
本発明は、上記カメラ取付機構の取付方法において、上下移動機構では、大型箱レンズの近辺でポータブルカメラとのスキマを約１ｍｍ程度設けるよう調整することを特徴とする。
【発明の効果】
【００２３】
本発明によれば、ポータブルカメラと大型箱レンズとがバヨネットマウント方式で結合され、ポータブルカメラをスタジオアダプタに固定するカメラ取付機構であって、スタジオアダプタに固定され、ポータブルカメラの垂直位置を調整する上下移動機構と、上下移動機構に接続し、ポータブルカメラを搭載して大型箱レンズに導くよう水平方向に移動させ、ポータブルカメラを固定するカメラ搭載機構とを有するカメラ取付機構としているので、大型箱レンズからポータブルカメラを取り外すときに、ポータブルカメラに重量が加わらず、大型箱レンズ３とポータブルカメラがバヨネットマウントのみで接続された状態になるため、ポータブルカメラから大型箱レンズを容易に外すことができる効果がある。
【図面の簡単な説明】
【００２４】
【図１】本取付機構の概略図である。
【図２】カメラ取付ユニットＡＳＳＹの概略図である。
【図３】カメラ本体とカメラ取付ユニットＡＳＳＹの関係を示す概略図である。
【図４】上下移動ブロックの概略図である。
【図５】上下移動ブロックの正面図である。
【図６】上下移動ブロックの左側面図である。
【図７】図６のＡ−Ａ部分の断面説明図である。
【図８】カメラリリース状態の断面説明図である。
【図９】カメラロック状態の断面説明図である。
【図１０】リリース状態の平面説明図である。
【図１１】図１０のＡ−Ａ部分の断面説明図である。
【図１２】図１０のＢ−Ｂ部分の断面説明図である。
【図１３】ロック状態の平面説明図である。
【図１４】リリース状態からロック状態への変化を示す平面説明図である。
【図１５】カム軸の概略図である。
【図１６】従来の大型箱レンズとカメラ取付ユニットの接続を示す概略図である。
【図１７】従来のカメラの取付方法を示す概略図である。
【発明を実施するための形態】
【００２５】
本発明の実施の形態について図面を参照しながら説明する。
［実施の形態の概要］
本発明の実施の形態に係るカメラの取付機構は、放送・業務用ポータブルカメラ（カメラ）と大型箱レンズ（レンズ）との結合はバヨネットマウント方式を採用し、カメラとレンズを結合後にカメラをスタジオアダプタに固定するために、スタジオアダプタに取り付けられ、カメラの垂直位置を調整するボトムガイド（上下移動機構）と、上下移動機構に接続し、カメラを搭載してカメラをレンズバヨネットに導く水平ガイド（カメラ搭載機構）とを備えるものとしているので、レンズからカメラを取り外すときに、カメラに余計な重量が加わらず、レンズとカメラがバヨネットマウントのみで接続された状態になるため、容易にレンズを外すことができるものである。
【００２６】
［本取付機構：図１］
本発明の実施の形態に係るカメラの取付機構（本取付機構）について図１を参照しながら説明する。図１は、本取付機構の概略図である。
本取付機構（カメラ取付ユニットＡＳＳＹ／本取付ユニット）４は、図１に示すように、スタジオアダプタ２に固定され、放送用・業務用のポータブルカメラ（カメラ）１が搭載され、カメラ１と大型箱レンズ（レンズ）３とを結合させ、レンズ３に結合されたカメラ１を固定するものである。
【００２７】
ここで、従来のカメラの取付手順と本実施形態の取付手順との違いを簡単に説明する。
従来のカメラの取付手順は、第１に、カメラを取付ユニットに固定し、第２に、カメラを大型箱レンズにバヨネットマウントで固定し、第３に、取付ユニットをスタジオアダプタ２に固定するものである。
これに対して、本実施形態では、予めスタジオアダプタに固定されている本取付ユニットに対し、第１に、カメラを本取付ユニットに固定せず、単に搭載した状態で大型箱レンズにバヨネットマウントで固定し、第２に、カメラを本取付ユニットに固定するものである。
【００２８】
つまり、従来のカメラの固定手順を逆にしたものであり、従って、取り外す手順も従来と本実施形態では逆になる。
具体的には、本実施形態では、取り外しの手順は、カメラから本取付ユニットをリリースし、カメラを本取付ユニットに搭載したままバヨネットリングを緩めて大型箱レンズからリリースする。あえて、本取付ユニットをスタジオアダプタからリリースする必要はない。
【００２９】
従って、本実施形態では、大型箱レンズからカメラを外す時は、カメラは本取付ユニットに搭載されているものの、レンズとバヨネットマウントのみで結合されている状態となるので、カメラとレンズがバヨネットマウントにて強固にかみ合った場合でも、カメラはバヨネットマウント以外に固定されていないため、カメラを外すことが容易になる。
また、大型箱レンズの近辺で、ポータブルカメラとのスキマを約１ｍｍ程度設けるよう調整することで、カメラとレンズがバヨネットマウント以外に接触するものがなく、カメラの取り付け、取り外しが容易に行える。
【００３０】
［カメラ取付ユニットＡＳＳＹ：図２］
次に、本取付機構（カメラ取付ユニットＡＳＳＹ／本取付ユニット）について図２を参照しながら説明する。図２は、カメラ取付ユニットＡＳＳＹの概略図である。
本取付ユニット４は、上下方向（垂直方向）の調整を行う上下移動機構と、搭載されたカメラ１を水平方向に移動させるカメラ搭載機構とから基本的に構成されている。
上下移動機構は、レンズ３側（前方側）でスタジオアダプタ２に固定され、カメラ搭載機構の上下位置を調整し、上下移動ブロック５を有している。
カメラ搭載機構は、カメラベース２０を有し、後述する通り、後方（レンズ３に接続する側とは反対の端部）にカメラ１を押し込んでロックするロック機構を備えている。
【００３１】
カメラ搭載機構のカメラベース２０は、カメラ１が左右方向（Ｙ軸方向）にはみ出さないようにガイドする凸形状のカメラ左右ガイド１７を備え、大型箱カメラ３側（前方側）の端部（一方の端部）で上下移動ブロック５に接続し、その端部とは反対側の端部（他方の端部）側（後方側）に電気コネクタ２７を備え、更に、その他方の端部からカメラロックブロックＡＳＳＹ２１が押し込まれる構成となっている。
【００３２】
ここで、カメラベース２０のＹ軸方向の幅は、カメラ１をＹ軸方向にスライドさせてレンズ３との位置合わせできる程度に余裕があるものである。
また、カメラベース２０は、Ｘ軸方向にカメラ１をスライドさせてレンズ３に接近させることができるものとなっている。
【００３３】
上下移動機構は、カメラ搭載機構を上下方向（Ｚ軸方向）に移動させる上下移動ブロック５と、左右方向（Ｙ軸方向）に位置を移動させる左右移動ブロック９と、左右方向の移動の調整を行う調整ロッド１２と、その調整ロッド１２をスタジオアダプタ２に固定する調整ロッド固定ブロック１３と、上下方向（Ｚ軸方向）の位置を固定する上下固定レバー１５とを備えている。上下移動機構の詳細な構成は後述する。
【００３４】
［カメラ本体とカメラ取付ユニットＡＳＳＹの関係：図１，３］
次に、カメラ１の本体とカメラ取付ユニットＡＳＳＹとの関係について図３を参照しながら説明する。図３は、カメラ本体とカメラ取付ユニットＡＳＳＹの関係を示す概略図である。
図１，３に示すように、本取付ユニット４は、スタジオアダプタ２に取り付けられており、具体的には、上下移動機構側とカメラ搭載機構の後方側でスタジオアダプタ２に固定されるものである。
尚、カメラ１が搭載される場合を想定して、レンズ３との接続を行う準備として、予め上下の位置を調整しておく。左右方向の位置の調整は、カメラベース２０の幅に余裕があるため、カメラ１をカメラベース２０に搭載した後に左右方向の調整を行う。
【００３５】
そして、本取付ユニット４にカメラ１が搭載された状態で、レンズ３と結合するために微調整を行い、カメラ１を、カメラベース２０上をレンズ３側にスライドさせてレンズ３とバヨネットマウントにより結合させる。その後に、カメラ１と本取付ユニット４とをカメラロックブロックＡＳＳＹ２１で固定する。
【００３６】
［上下移動機構：図４〜図７］
次に、本取付ユニットにおける上下移動機構について図４〜７を参照しながら説明する。図４は、上下移動機構の概略図であり、図５は、上下移動機構の正面図であり、図６は、上下移動機構の左側面図であり、図７は、図６のＡ−Ａ部分の断面説明図である。
本取付ユニット４における上下移動機構は、スタジオアダプタ２に取り付けられており、カメラ搭載機構のカメラベース２０を上下方向に移動してカメラ１とレンズ３を接続しやすくするものである。
【００３７】
上下移動機構は、図４〜７に示すように、上下移動ブロック５と、上下スライドガイド６と、スライドロッド７と、ロッドバネ８と、左右移動ブロック９と、移動ブロックピン１０と、左右移動ガイドミゾ１１と、調整ロッド１２と、調整ロッド固定ブロック１３と、調整ロッドバネ１４と、上下固定レバー１５と、ブレーキバネカナグ１６とを備えている。
【００３８】
上下移動ブロック５は、調整ロッド１２により、接続するカメラベース２０を上下方向（Ｚ軸方向）に移動し、カメラベース２０に搭載されるカメラ１と接続するカメラベース２０とのスキマを調整するものである。上下移動の動作は後述する。
【００３９】
上下スライドガイド６は、スタジオアダプタ２に固定され、ロッドバネ８を介してスライドロッド７が下側からはめ込まれて挿入されている。この構成が、ガタつきのない上下移動を可能にしている。
【００４０】
スライドロッド７は、ロッドバネ８が装着されている側とは反対側の端部で上下移動ブロック５のピンに接続している。当該ピンは、上下移動ブロック５の２箇所の垂直方向に形成された貫通孔に挿入されて設けられている。
【００４１】
上下スライドガイド６とスライドロッド７との間にロッドバネ８を挿入することで、移動ブロックピン１０と左右移動ガイドミゾ１１との移動時に必要な隙間（ガタ）を吸収し、スムーズに上下移動ブロック５を可動できる。
【００４２】
左右移動ブロック９は、移動ブロックピン１０が圧入されており、左右移動ブロック９と同時に移動ブロックピン１０が左右に移動する。
そして、上下移動ブロック５は、左右移動ガイドミゾ１１を備えている。
【００４３】
左右移動ガイドミゾ１１は、右上がりに斜めに加工されており、挿入されている移動ブロックピン１０が左右に移動する。この左右移動ガイドミゾ１１の斜め加工によって上下移動ブロック５を上下に移動させる。上下移動をスムーズに行うため、上下移動ブロック５の左右にスライドロッド７が設けられている。
つまり、移動ブロックピン１０と左右移動ガイドミゾ１１が、左右方向の移動を上下方向の移動に変換する変換部となる。
【００４４】
調整ロッド１２は、調整ロッド固定ブロック１３に固定されており、回転動作のみを行うことができる。
調整ロッド固定ブロック１３は、スタジオアダプタ２に固定されている。
調整ロッド１２を外部から回転させることで、左右移動ブロック９が左右に移動する。
【００４５】
更に、調整ロッド１２の先端のネジが加工されており、雌ネジが加工されている左右移動ブロック９とかみ合い、調整ロッド１２が送りネジとなり、左右移動ブロック９が左右に移動する。
【００４６】
このとき、調整ロッド１２と左右移動ブロック９との間に調整ロッドバネ１４が挿入されており、常に調整ロッド１２と左右移動ブロック９とを突っ張る力を発生させ、ネジによるガタを吸収している。
【００４７】
ブレーキバネカナグ１６は、スタジオアダプタ２に固定され、上下固定レバー１５と上下移動ブロック５との間に設置されている。
上下固定レバー１５は、レバー操作によって、ブレーキバネカナグ１６に上下移動ブロック５を固定させる固定部である。固定方法は後述する。
【００４８】
そして、上下移動ブロック５にカメラベース２０が接続されており、具体的には、上下移動ブロック５の凹部にカメラベース２０の凸部を、上下移動ブロック５の凸部をカメラベース２０の凹部にはめ込み、その状態で側面から貫通している貫通孔にピンが挿入されて接続されるものである。よって、上下移動ブロック５とカメラベース２０は、接続部を支点に回転自在となっている。
【００４９】
尚、カメラ１とレンズ３とが結合する付近では、カメラ１と本取付ユニット４のカメラベース２０との間に、上下スキマを設けるよう調整を行うのがよい。無論、カメラ１の後方側（レンズ３と結合する側とは反対側）では本取付ユニット４に接触するものである。
【００５０】
具体的には、レンズ３との結合部分の近辺では、カメラ１と本取付ユニット４の上下間に約１ｍｍ程度のスキマを形成するよう調整する。これは、運用終了時にカメラ１をレンズ３から取り外す場合に、レンズ３とバヨネットリング１８が強固にかみ合っていても、この上下のスキマが遊びとなって容易に取り外すことが可能とするためである。
【００５１】
上下固定レバー１５は、上下移動ブロック５にネジ接続されている。上下移動機構により本取付ユニット４の上下方向の調整を行った後に、上下固定レバー１５を操作して、上下移動ブロック５をスタジオアダプタ２に固定する。
【００５２】
スタジオアダプタ２に固定されたブレーキバネカナグ１６が上下固定レバー１５と上下移動ブロック５との間に設置されており、上下固定レバー１５でブレーキバネカナグ１６を上下移動ブロック５に挟み込むことで、ブレーキバネカナグ１６と上下移動ブロック５との間に摩擦が生じ、上下移動ブロック５がスタジオアダプタ２に固定される。
尚、ブレーキバネカナグ１６は、小さな力で大きな摩擦を発生させるためには、挟み込む板厚は薄い方が望ましい。
【００５３】
［上下移動機構の調整方法］
本取付ユニット４における上下移動機構では、調整ロッド１２を回転させると、左右移動ブロック９が左右方向（Ｙ軸方向）に移動し、その移動に伴い、左右移動ブロック９に形成された移動ブロックピン１０が、上下移動ブロック５に斜め方向に形成された左右移動ガイドミゾ１１内を移動し、上下移動ブロック５を上下に移動させる。
【００５４】
具体的には、左右移動ガイドミゾ１１内を移動ブロックピン１０が右側に移動すると、上下移動ブロック５は下側に移動し、左右移動ガイドミゾ１１内を移動ブロックピン１０が左側に移動すると、上下移動ブロック５は上側に移動することになる。
【００５５】
上記の調整方法によって、本取付ユニット４の上下方向の位置が調整されると、上下固定レバー１５を回転させて締め付け、上下移動ブロック５をブレーキバネカナグ１６に固定して、本取付ユニット４をスタジオアダプタ２に固定する。
【００５６】
［カメラのリリース状態とロック状態：図８，９］
次に、カメラ１と本取付ユニット４のリリース状態とロック状態について図８，９を参照しながら説明する。図８は、カメラリリース状態の断面説明図であり、図９は、カメラロック状態の断面説明図である。尚、図８，９では、全てを断面説明図とすると複雑となるため、カメラ１を除いた部分を断面説明図としている。
【００５７】
図８では、カメラリリース状態が示されており、その状態からバヨネットリング１８で大型箱レンズ３にカメラ１を接続した後、スタジオアダプタ２の後部に設置されているスライドスペース１９を前方（カメラ１側）に押し込む。
スライドスペース１９は、カメラベース２０のアリミゾ加工された部分にはめ込まれ、ガタがなくスムーズに移動することができる。
【００５８】
そのとき、スライドスペース１９に固定されている電気コネクタ２７と、カメラ１に設けられたカメラコネクタ２８とが接続され、カメラ１とスタジオアダプタ２とが電気的に通電できる状態となる。これが、図９に示すカメラロック状態である。
【００５９】
図９のカメラロック状態から、スライドスペース１９を後方に引き出して、電気的に不通状態にすると、カメラリリース状態に戻る。その後に、バヨネットリング１８を緩めて大型箱レンズ３からカメラ１を取り外すことになる。
【００６０】
［カメラベースのリリース状態とロック状態：図１０〜図１５］
次に、カメラベース２０とカメラロックブロックＡＳＳＹ２１とのリリース状態とロック状態について図１０〜１５を参照しながら説明する。図１０は、リリース状態の平面説明図であり、図１１は、図１０のＡ−Ａ部分の断面説明図であり、図１２は、図１０のＢ−Ｂ部分の断面説明図であり、図１３は、ロック状態の平面説明図であり、図１４は、リリース状態からロック状態への変化を示す平面説明図であり、図１５は、カム軸の概略図である。
【００６１】
［カメラベースとスライドベースの平面：図１０］
図１０に示すように、カメラベース２０の後方からスライドベース１９が挿入され、スライドベース１９の後方にはカメラロックブロックＡＳＳＹ２１が形成されている。
また、カメラベース２０の後方には、カメラロックブロックＡＳＳＹ２１をロックするためのスパナ型ロックレバー２２が形成されている。
スパナ型ロックレバー２２は、スパナミゾ２３を備えている。
カメラロックブロックＡＳＳＹ２１は、カム軸２４とカメラ押付バネ２５（図１４に図示）を備えている。
カメラロックブロックＡＳＳＹ２１とスパナ型ロックレバー２２が基本的に本取付ユニット４におけるロック機構となっている。
【００６２】
具体的には、カメラベース２０に固定され、回転動作のみを行うスパナ型ロックレバー２２にスパナミゾ２３が加工されており、スライドベース１９が前方にスライドしたとき、カメラロックブロックＡＳＳＹ２１、カム軸２４が同時に前方に移動し、カム軸２４の軸部分がスパナ型ロックレバー２２のスパナミゾ２３にはめ込まれる。
【００６３】
［カメラベースとスライドベースのＡ−Ａ断面：図１１］
図１１では、図１０のＡ−Ａ部分の断面を示しており、左側がＺ軸方向の上で、右側がＺ軸方向の下となっており、カメラベース２０にスライドベース１９を挿入する溝（アリミゾ）が形成されている。
アリミゾは、スライドベース１９が下方向に落ちないように、カメラベース２０には押さえ部２０ａが形成されている。
【００６４】
［カメラベースとスライドベースのＢ−Ｂ断面：図１２］
図１２では、図１０のＢ−Ｂ部分の断面を示し、更にカメラ１との電気的な接続が明確になるように、必要な構成を表示している。
図１２に示すように、カメラ１側には、カメラツメ２６とカメラコネクタ２８とが示されており、スライドベース１９には、カム軸２４と電気コネクタ２７とが示されており、カメラベース２０には、スパナ型ロックレバー２２とスパナミゾ２３とが示されている。
【００６５】
図１２ではカメラの解放状態（リリース状態）であるので、スライドベース１９をカメラ１側に押し込んでカメラコネクタ２８に電気コネクタ２７を接続させる。このとき、電気コネクタ２７の下側のツメがカメラ１側のカメラツメ２６に接触することになる。
その後に、スパナ型ロックバー２２を操作して締付状態（ロック状態）にする。
【００６６】
［ロック状態の平面：図１３］
ロック状態は、図１３に示すように、スライドベース１９がカメラベース２０に完全に押し込まれた状態になると、カメラベース２０のスパナミゾ２３にカム軸２４が納まり、スパナ型ロックバー２２を９０度回転させると、扁形したカム軸２４の突出部がカメラ押付バネ２５をカメラ１側に押し付ける。これにより、スライドベース１９をカメラ１に強固に固定できる。
【００６７】
［リリース状態からロック状態への変化：図１４］
図１４（ａ）では、スライドベース１９がカメラベース２０に押し込まれているが、まだリリース状態であり、図１４（ｂ）では、スパナ型ロックレバー２２を９０度回転させてロック状態としたものである。
ロック状態では、カム軸２４が回転して、その突出部でカメラ押付バネ２５を押して、僅かではあるがカメラ１側に移動する。図中に移動量を示す。
【００６８】
［カム軸：図１５］
カム軸２４は、図１５に示すように、下側の軸部分が、軸の一部に軸円上下を平行にカット（ダブルＤカット）加工を施しており、スパナミゾ２３にはまり込むようにできている。
それにより、スパナ型ロックレバー２２を回転させると、スパナミゾ２３にはまり込んだカム軸２４が同時に回転運動をする。これにより、スパナミゾ２３の開口部が挿入方向とは直交することになるので、カム軸２４は挿入方向に戻ることができなくなり、スライドベース１９は前後移動が抑制される。
【００６９】
更に、カム軸２４の上側は、円形ではなく、楕円等の扁平した形状（扁形）となっており、カムの偏心分（突出部）だけカメラロックブロックＡＳＳＹ２１に設置されているカメラ押付バネ２５を押すことになる。その結果、カメラロックブロックＡＳＳＹ２１は、カメラ１の後部にあるカメラツメ２６を大型箱レンズ３に押し込むことになる。
この押し込みの量、押し込み力をカメラ押付バネ２５で発生させて、本取付ユニット４を介してスタジオアダプタ２にカメラ１を固定させる。
【００７０】
［実施の形態の効果］
本取付ユニットによれば、カメラ１とレンズ３との結合はバヨネットマウント方式を採用し、カメラ１とレンズ３を結合後にカメラ１をスタジオアダプタ２に固定するために、スタジオアダプタ２に取り付けられ、カメラ１の垂直位置を調整する上下移動機構と、上下移動機構に前方で接続し、カメラ１を搭載してカメラ１をバヨネットレンズ１８に導き、後方でカメラ１をレンズ３に押し込んで固定するロック機構を有するカメラ搭載機構とを備えるものとしているので、レンズ３からカメラ１を取り外すときに、カメラ１に余計な重量が加わらず、レンズ３とカメラ１がバヨネットマウントのみで接続された状態になるため、容易にレンズ３を外すことができる効果がある。
【００７１】
本取付ユニットの取付方法によれば、カメラ１とレンズ３との結合はバヨネットマウント方式を採用し、カメラ１とレンズ３を結合後にカメラ１をスタジオアダプタ２に固定するために、本取付ユニットをスタジオアダプタ２に固定し、上下移動機構でカメラ１の垂直位置を調整し、上下移動機構に接続するカメラ搭載機構にカメラ１を搭載してカメラ１をバヨネットレンズ１８に導いてカメラ１をレンズ３に接続し、カメラ１をカメラ搭載機構のロック機構により本取付ユニットに固定するようにしているので、レンズ３からカメラ１を取り外すときに、カメラ１が本取付ユニットから解放された状態となり、カメラ１に余計な重量が加わらず、レンズ３とカメラ１がバヨネットマウントのみで接続された状態になるため、容易にレンズ３を外すことができる効果がある。
【産業上の利用可能性】
【００７２】
本発明は、バヨネットマウント方式による強固なかみ合いでカメラが取り外せなくなることを防止し、また、電気コネクタの接続を短時間に容易に行うことができるカメラの取付機構及びその取付方法に好適である。
【符号の説明】
【００７３】
１…カメラ、  ２…スタジオアダプタ、  ３…大型箱レンズ、  ４…カメラ取付ユニットＡＳＳＹ（本取付機構／本取付ユニット）、  ５…上下移動ブロック、  ６…上下スライドガイド、  ７…スライドロッド、  ８…ロッドバネ、  ９…左右移動ブロック、  １０…移動ブロックピン、  １１…左右移動ガイドミゾ、  １２…調整ロッド、  １３…調整ロッド固定ロッド、  １４…調整ロッドバネ、  １５…上下固定レバー、  １６…ブレーキバネカナグ、  １７…カメラ左右ガイド、  １８…バヨネットリング、  １９…スライドスペース、  ２０…カメラベース、  ２０ａ…押さえ部、  ２１…カメラロックブロックＡＳＳＹ、  ２２…スパナ型ロックレバー、  ２３…スパナミゾ、  ２４…カム軸、  ２５…カメラ押付バネ、  ２６…カメラツメ、  ２７…電気コネクタ、  ２８…カメラコネクタ、  ４０…スタジオアダプタ、  ４１…カメラ取付ユニット、  ４２…カメラ固定バー、  ４３…移動可能ボタン、  ４４…ユニット固定バー、  ４５…固定レバー
【図１】
2019057865.tif 000003
【図２】
2019057865.tif 000004
【図３】
2019057865.tif 000005
【図４】
2019057865.tif 000006
【図５】
2019057865.tif 000007
【図６】
2019057865.tif 000008
【図７】
2019057865.tif 000009
【図８】
2019057865.tif 000010
【図９】
2019057865.tif 000011
【図１０】
2019057865.tif 000012
【図１１】
2019057865.tif 000013
【図１２】
2019057865.tif 000014
【図１３】
2019057865.tif 000015
【図１４】
2019057865.tif 000016
【図１５】
2019057865.tif 000017
【図１６】
2019057865.tif 000018
【図１７】
2019057865.tif 000019